【手続補正書】
【提出日】平成20年10月17日(2008.10.17)
【手続補正１】
【補正対象書類名】特許請求の範囲
【補正対象項目名】全文
【補正方法】変更
【補正の内容】
【特許請求の範囲】
【請求項１】
ａ）管と、
ｂ）前記管を通って伸長するカテーテルと、ここで、哺乳類の椎間板内部に挿入された前記カテーテルの部分はＳ字型であり、前記カテーテルに物理的圧力が加えられないとき、前記カテーテルの部分はＳ字型を維持する形状記憶特性を有する、
を含む哺乳類の椎間板内部で使用される装置。
【請求項２】
前記管の中に存在する間は、前記カテーテルの少なくとも一部は通常直線状であり、哺乳類の椎間板の後側壁に十分達する長さとなった後に前記カテーテルがＳ字型を形成する、請求項１に記載の哺乳類の椎間板内部で使用される装置。
【請求項３】
ａ）管と、
ｂ）前記管を通って伸長するカテーテルと、ここで、哺乳類の椎間板内部に挿入された前記カテーテルの部分は弓状形であり、前記カテーテルに物理的圧力が加えられないとき、前記カテーテルの部分は弓状形を維持する形状記憶特性を有する、
を含む哺乳類の椎間板内部で使用される装置。
【請求項４】
前記管の中に存在する間は、前記カテーテルの少なくとも一部は通常直線状であり、哺乳類の椎間板の後側壁に十分達する長さとなった後に前記カテーテルが弓状形となる、請求項３に記載の哺乳類の椎間板内部で使用される装置。
【請求項５】
哺乳類の椎間板壁に突き当たって変形する前記カテーテルの先端をさらに備える、請求項１〜４のいずれか一項に記載の哺乳類の椎間板内部で使用される装置。
【請求項６】
前記カテーテルは、加熱手段または高周波発生手段を備える、請求項１〜５のいずれか一項に記載の哺乳類の椎間板内部で使用される装置。
【請求項７】
前記加熱手段を前記カテーテルの先端に備える、請求項６に記載の哺乳類の椎間板内部で使用される装置。
【請求項８】
前記カテーテルは多数の孔を有する、請求項１〜７のいずれか一項に記載の哺乳類の椎間板内部で使用される装置。
【請求項９】
ａ）管と、
ｂ）前記管を通って伸長するシースと、ここで、哺乳類の椎間板内部に挿入された前記シースの部分はＳ字型であり、前記シースに物理的圧力が加えられないとき、前記シースの部分はＳ字型を維持する形状記憶特性を有する、
を含む哺乳類の椎間板内部で使用される装置。
【請求項１０】
前記管の中に存在する間は、前記シースの少なくとも一部は通常直線状であり、哺乳類の椎間板の後側壁に十分達する長さとなった後に前記シースがＳ字型を形成する、請求項９に記載の哺乳類の椎間板内部で使用される装置。
【請求項１１】
前記シースは複数のポートを有する、請求項９または１０に記載の哺乳類の椎間板内部で使用される装置。
【請求項１２】
前記シースは複数の管腔を有する、請求項９〜１１のいずれか一項に記載の哺乳類の椎間板内部で使用される装置。
【請求項１３】
前記シースは柔軟に変形可能な先端をさらに備える、請求項９〜１２のいずれか一項に記載の哺乳類の椎間板内部で使用される装置。
【請求項１４】
前記シース内に、さらにカッターを備える、請求項９〜１３のいずれか一項に記載の哺乳類の椎間板内部で使用される装置。
【請求項１５】
前記シース内に、さらに光ファイバー光源を備える、請求項９〜１４のいずれか一項に記載の哺乳類の椎間板内部で使用される装置。
【請求項１６】
前記シース内に、さらに洗浄と吸引のための導管を備える、請求項９〜１５のいずれか一項に記載の哺乳類の椎間板内部で使用される装置。
【請求項１７】
ａ）導入針と、
ｂ）Ｓ字型を形成するシースと、ここで、前記シースは前記導入針を介して哺乳類の椎間板内部に挿入され、前記シースは変形可能であり、前記導入針の中を輸送されるときには変形し、前記導入針から出ると元のＳ字型に戻る、
ｃ）前記シース内の管腔を行き来する伸長された器具と、ここで、前記伸長された器具の少なくとも一部が前記導入針の反対側かつ前記哺乳類の椎間板内部に前記シースから伸ばされる、
を含む哺乳類の椎間板内部の治療または除去に使用される装置。
【請求項１８】
前記導入針は管腔を備え、前記シースは前記管腔を介して哺乳類の椎間板内部に輸送され、前記シースは前記管腔により変形され、前記シースは前記管腔から出るにつれて徐々に元のＳ字型に戻る、請求項１７に記載の哺乳類の椎間板内部の治療または除去に使用される装置。
【請求項１９】
前記シースは、前記シースの末端から突出する変形可能な位置決め先端を備え、前記変形可能な位置決め先端は蛍光透視鏡下で可視化される、請求項１７または１８に記載の哺乳類の椎間板内部の治療または除去に使用される装置。
【請求項２０】
前記伸長された器具は、カッターを備える、請求項１７〜１９のいずれか一項に記載の哺乳類の椎間板内部の治療または除去に使用される装置。
【請求項２１】
前記シースは、前記シースの長さ方向に縦走する少なくとも２つの管腔を備える、請求項１７〜２０のいずれか一項に記載の哺乳類の椎間板内部の治療または除去に使用される装置。
【請求項２２】
前記シースは、前記シースの長さ方向に縦走する少なくとも２つの管腔を備え、前記少なくとも２つの管腔を介して物質が輸送される、請求項１７〜２１のいずれか一項に記載の哺乳類の椎間板内部の治療または除去に使用される装置。
【請求項２３】
前記伸長された器具は、椎間板から組織を切除するための手段を備える、請求項１７〜２２のいずれか一項に記載の哺乳類の椎間板内部の治療または除去に使用される装置。
【請求項２４】
前記伸長された器具は、高周波を提供する手段を備える、請求項１７〜２３のいずれか一項に記載の哺乳類の椎間板内部の治療または除去に使用される装置。
【請求項２５】
前記伸長された器具は、熱を提供する手段を備える、請求項１７〜２４のいずれか一項に記載の哺乳類の椎間板内部の治療または除去に使用される装置。
【請求項２６】
前記伸長された器具は、鉗子を備える、請求項１７〜２５のいずれか一項に記載の哺乳類の椎間板内部の治療または除去に使用される装置。
【請求項２７】
前記シースは、前記シースの長さ方向に縦走する少なくとも３つの管腔を備える、請求項１７〜２６のいずれか一項に記載の哺乳類の椎間板内部の治療または除去に使用される装置。
【請求項２８】
前記シースは、前記シースの長さ方向に縦走する少なくとも３つの管腔を備え、前記少なくとも３つの管腔のうちの少なくとも１つの管腔を介して物質が哺乳類の椎間板内部に輸送され、前記少なくとも３つの管腔のうちの少なくとも１つの管腔を介して物質が哺乳類の椎間板内部から除去される、請求項１７〜２７のいずれか一項に記載の哺乳類の椎間板内部の治療または除去に使用される装置。
【請求項２９】
前記伸長された器具は、光ファイバーケーブルを備える、請求項１７〜２８のいずれか一項に記載の哺乳類の椎間板内部の治療または除去に使用される装置。
【請求項３０】
前記伸長された器具は、哺乳類の椎間板内部から組織を除去するための手段を備える、請求項１７〜２９のいずれか一項に記載の哺乳類の椎間板内部の治療または除去に使用される装置。
【請求項３１】
前記シースの前記管腔の末端は開いており、前記伸長された器具は前記シースの末端から突出する、請求項１７〜３０のいずれか一項に記載の哺乳類の椎間板内部の治療または除去に使用される装置。
【請求項３２】
前記導入針はまっすぐであり、前記シースが導入針を介して移動されるとき、シースの少なくとも一部分をまっすぐに変形させる、請求項１７〜３１のいずれか一項に記載の哺乳類の椎間板内部の治療または除去に使用される装置。
【請求項３３】
前記導入針は、前記シースが導入針を介して移動されるとき、前記シースをまっすぐに変形させるまっすぐな管腔を備える、請求項１７〜３２のいずれか一項に記載の哺乳類の椎間板内部の治療または除去に使用される装置。
【請求項３４】
前記器具は哺乳類の椎間板内部を治療する、請求項１７〜３３のいずれか一項に記載の哺乳類の椎間板内部の治療または除去に使用される装置。
【請求項３５】
前記器具は哺乳類の椎間板内部を最小限まで取り除く、請求項１７〜３４のいずれか一項に記載の哺乳類の椎間板内部の治療または除去に使用される装置。
【請求項３６】
前記シースは、ポートを備える、請求項１７〜３５のいずれか一項に記載の哺乳類の椎間板内部の治療または除去に使用される装置。
【請求項３７】
前記伸長された器具は、哺乳類の椎間板内部にスペーサーを配置する手段を備える、請求項１７〜３６のいずれか一項に記載の哺乳類の椎間板内部の治療または除去に使用される装置。
【請求項３８】
哺乳類の椎間板内部に配置されるスペーサーをさらに備える、請求項１７〜３７のいずれか一項に記載の哺乳類の椎間板内部の治療または除去に使用される装置。
【請求項３９】
前記導入針は、経皮的に使用できる導入針である、請求項１７〜３８のいずれか一項に記載の哺乳類の椎間板内部の治療または除去に使用される装置。